(57)【要約】【課題】  プラズマ表示装置において、パネル温度又は累積動作時間に基づく駆動マージンの変化時にも、保証動作温度範囲を拡大し、又は動作寿命時間を延長可能にする。【解決手段】  セルに書き込み放電を行なわせる走査期間と、書き込み放電を行ったセルを点灯表示させる維持期間と、走査期間に先立って、セル内の壁電荷及び空間電荷を初期化させる初期化期間とによって表示制御するとともに、初期化期間の最後に、走査電極とデータ電極の電位差が徐々に変化する壁電荷調整期間を設けるプラズマ表示装置の駆動方法において、壁電荷調整期間における走査電極とデータ電極の電位差の変化率を、パネル温度及び／又はパネルの累積動作時間に応じて変化させる。【選択図】  図１
2005077744.tif 000002
【特許請求の範囲】
【請求項１】
互いに平行な走査電極と維持電極とからなる電極対を複数配置した第１の基板と、前記電極対に交差するように複数のデータ電極を配置した第２の基板とを具備し、映像信号に応じて書き込み放電を行う走査期間と、前記書き込み放電を行ったセルを点灯させる維持期間と、前記走査期間に先立ち、それ以前のセル内の壁電荷及び空間電荷を初期化させる初期化期間とによって表示制御されるプラズマ表示装置であって、
前記初期化期間はその最後に、前記走査電極と前記データ電極の電位差が徐々に変化する壁電荷調整期間を有し、前記電位差の変化率がパネル温度及び／又はパネルの累積動作時間に応じて制御されるものであることを特徴とするプラズマ表示装置。
【請求項２】
互いに平行な走査電極と維持電極とからなる電極対を複数配置した第１の基板と、前記電極対に交差するように複数のデータ電極を配置した第２の基板とを具備し、１フィールドを分割した複数のサブフィールドにおいて、各サブフィールドが映像信号に応じて書き込み放電を行う走査期間と、前記書き込み放電を行ったセルを点灯させる維持期間と、前記走査期間に先立ち、それ以前のセル内の壁電荷及び空間電荷を初期化させる初期化期間とによって表示制御されるプラズマ表示装置であって、
前記サブフィールドのうち少なくとも１つのサブフィールドにおいて、前記初期化期間はその最後に、前記走査電極と前記データ電極の電位差が徐々に変化する壁電荷調整期間を有し、前記電位差の変化率がパネル温度及び／又はパネルの累積動作時間に応じて制御されるものであることを特徴とするプラズマ表示装置。
【請求項３】
前記電位差の変化率がパネル温度及び／又はパネルの累積動作時間に応じて制御されるサブフィールドは、前記１フィールドのサブフィールドのうち、最も維持パルス数が多いサブフィールド、又は維持パルスが多い順にＮ個（Ｎは１フィールドのサブフィールド数より小さい整数）のサブフィールドであることを特徴とする請求項２記載のプラズマ表示装置。
【請求項４】
互いに平行な走査電極と維持電極とからなる電極対を複数配置した第１の基板と、前記電極対に交差するように複数のデータ電極を配置した第２の基板とを具備したプラズマ表示装置に対して、前記走査電極に走査パルスを順次印加して映像信号に応じて書き込み放電を行なわせる走査期間と、前記書き込み放電を行ったセルを点灯表示させる維持期間と、前記走査期間に先立って、それ以前のセル内の壁電荷及び空間電荷を初期化させる初期化期間とによって表示制御するとともに、前記初期化期間はその最後に、前記走査電極と前記データ電極の電位差が徐々に変化する壁電荷調整期間を有するプラズマ表示装置の駆動方法において、
前記壁電荷調整期間における前記走査電極と前記データ電極の電位差の変化率を、パネル温度及び／又はパネルの累積動作時間に応じて変化させることを特徴とするプラズマ表示装置の駆動方法。
【請求項５】
互いに平行な走査電極と維持電極とからなる電極対を複数配置した第１の基板と、前記電極対に交差するように複数のデータ電極を配置した第２の基板とを具備したプラズマ表示装置に対して、１つの映像を表示する１フィールドを複数のサブフィールドに分割した各サブフィールドにおいて、前記走査電極に走査パルスを順次印加して映像信号に応じて書き込み放電を行なわせる走査期間と、前記書き込み放電を行ったセルを点灯表示させる維持期間と、前記走査期間に先立って、それ以前のセル内の壁電荷及び空間電荷を初期化させる初期化期間とによって表示制御するとともに、前記初期化期間がその最後に、前記走査電極と前記データ電極の電位差が徐々に変化する壁電荷調整期間を有するプラズマ表示装置の駆動方法において、
前記複数のサブフィールドのうち少なくとも一つのサブフィールドにおいて、前記壁電荷調整期間における前記走査電極と前記データ電極の電位差の変化率を、パネル温度及び／又はパネルの累積動作時間に応じて変化させることを特徴とするプラズマ表示装置の駆動方法。
【請求項６】
前記壁電荷調整期間における前記走査電極と前記データ電極の電位差の変化率を変化させるサブフィールドを、前記維持期間に印加される維持パルス数の多い側のサブフィールドにおいて設定することを特徴とする請求項５記載のプラズマ表示装置の駆動方法。
【請求項７】
前記１フィールドの維持パルス数に応じて、前記壁電荷調整期間における前記走査電極と前記データ電極の電位差の変化率を変化させるサブフィールド数を変化させることを特徴とする請求項５又は６記載のプラズマ表示装置の駆動方法。
【請求項８】
前記１フィールドの維持パルス数が多いほど、前記壁電荷調整期間における前記走査電極と前記データ電極の電位差の変化率を変化させるサブフィールド数を減少させることを特徴とする請求項７記載のプラズマ表示装置の駆動方法。
【請求項９】
前記壁電荷調整期間における前記走査電極と前記データ電極の電位差の変化率を変化させるサブフィールド数に応じて、前記走査パルスのパルス幅を変化させることを特徴とする請求項５乃至８のいずれか一記載のプラズマ表示装置の駆動方法。
【請求項１０】
前記壁電荷調整期間における前記走査電極と前記データ電極の電位差の変化率を変化させるサブフィールド数が多いほど、前記走査パルスのパルス幅を小さくすることを特徴とする請求項９記載のプラズマ表示装置の駆動方法。
【請求項１１】
前記パネル温度が高いほど、前記壁電荷調整期間における前記走査電極と前記データ電極の電位差の変化率を小さくすることを特徴とする請求項４乃至１０のいずれか一記載のプラズマ表示装置の駆動方法。
【請求項１２】
前記パネルの累積動作時間が長いほど、前記壁電荷調整期間における前記走査電極と前記データ電極の電位差の変化率を大きくすることを特徴とする請求項４乃至１１のいずれか一記載のプラズマ表示装置の駆動方法。
【請求項１３】
前記壁電荷調整期間における前記走査電極と前記データ電極の電位差の変化率の変化にかかわらず、前記壁電荷調整期間における前記走査電極と前記データ電極の最終到達電位差を変化させないことを特徴とする請求項４乃至１２記載のプラズマ表示装置の駆動方法。
【請求項１４】
前記壁電荷調整期間における前記走査電極と前記データ電極の電位差の変化率に応じて、前記壁電荷調整期間の長さを変化させることを特徴とする請求項４乃至１３のいずれか一記載のプラズマ表示装置の駆動方法。
【請求項１５】
前記走査電極と前記データ電極の電位差が変化している期間の後に、前記電位差が一定となる保持期間を有し、前記壁電荷調整期間における前記走査電極と前記データ電極の電位差の変化率の変化にかかわらず、前記保持期間を変化させないことを特徴とする請求項４乃至１４のいずれか一記載のプラズマ表示装置の駆動方法。
【請求項１６】
前記維持期間の維持パルス数に応じて、前記壁電荷調整期間における前記走査電極と前記データ電極の電位差の変化率を変化させることを特徴とする請求項４乃至１５のいずれか一記載のプラズマ表示装置の駆動方法。
【請求項１７】
前記パネル温度及び／又はパネルの累積動作時間における、少なくとも一つの閾値に応じて、予め設定された所定の変化率になるように、前記壁電荷調整期間における前記走査電極と前記データ電極の電位差の変化率を変化させることを特徴とする請求項４乃至１６のいずれか一記載のプラズマ表示装置の駆動方法。
【請求項１８】
前記壁電荷調整期間における前記走査電極と前記データ電極の電位差の変化率に応じて、前記走査パルスのパルス幅を変化させることを特徴とする請求項４乃至１７のいずれか一記載のプラズマ表示装置の駆動方法。
【請求項１９】
前記壁電荷調整期間における前記走査電極と前記データ電極の電位差の変化率が小さいほど、前記走査パルスのパルス幅を小さくすることを特徴とする請求項１８記載のプラズマ表示装置の駆動方法。
【発明の詳細な説明】
【技術分野】
【０００１】
この発明は、３電極ＡＣ型プラズマディスプレイパネルを備えたプラズマ表示装置およびその駆動方法に関する。
【背景技術】
【０００２】
プラズマディスプレイパネル（以下、ＰＤＰともいう）は、一般に、薄型で大画面表示が比較的容易にできるとともに、視野角が広く応答速度が速い等、多くの利点を有している。そのため、近年において、フラットディスプレイとして、壁掛けテレビや公共表示板等における利用が拡大している。
ＰＤＰは、その動作方式によって、電極が放電空間（放電ガス）に露出していて、直流放電の状態で動作させる直流放電型（ＤＣ型）と、電極が誘電体層に被覆されていて放電ガスに直接露出されず、交流放電の状態で動作させる交流放電型（ＡＣ型）とに分類される。
ＤＣ型では、電圧が印加されている期間中、放電が発生するが、ＡＣ型では、電圧の極性を反転させることによって、放電を持続させる。ＡＣ型には、さらに、１セル内の電極数が２電極のものと、３電極のものとがある。
【０００３】
以下においては、従来の３電極ＡＣ型プラズマディスプレイパネルの構造および駆動方法について説明する。
図１７は、従来の３電極ＡＣ型プラズマディスプレイパネルにおける１セルの構造を示す断面図、図１８は、従来の３電極ＡＣ型プラズマディスプレイパネルの構造を示す平面図、図１９は、従来の３電極ＡＣ型プラズマディスプレイパネルに対する駆動波形を示す図である。
【０００４】
３電極ＡＣ型プラズマディスプレイパネルは、図１７に示すように、相互に対向して配置された前面基板２０，背面基板２１と、双方の基板２０，２１間に配置された複数の走査電極２２，維持電極２３およびデータ電極２９と、走査電極２２，維持電極２３およびデータ電極２９の各交差部分に行列状に配置された表示セルとを有している。
【０００５】
前面基板２０としてはガラス基板等が用いられ、その上に走査電極２２と維持電極２３とが所定の間隔を隔てて設けられている。走査電極２２と維持電極２３の上には、配線抵抗を低下させるために、金属トレース電極３２が積層されている。そして、これらの上には、透明誘電体層２４と、透明誘電体層２４を放電から保護するための、マグネシア（ＭｇＯ）等からなる保護層２５が形成されている。
一方、背面基板２１としてはガラス基板等が用いられ、その上にデータ電極２９が走査電極２２や維持電極２３と直交するように設けられている。さらに、データ電極２９上には、白色誘電体層２８，蛍光体層２７が設けられている。
２枚のガラス基板２０，２１の間には、各セルを囲むように井桁状の隔壁３３が形成されている。隔壁３３は、放電空間２６を確保するとともに、画素を区切る役目を果たしている。放電空間２６内には放電ガスとして、ヘリウム（Ｈｅ），ネオン（Ｎｅ），キセノン（Ｘｅ）等からなる混合ガスが封入されている。
【０００６】
３電極ＡＣ型プラズマディスプレイパネルは、図１８にその平面図を示すように、走査電極２２を形成する各電極Ｓｉ（ｉ＝１〜ｍ）および維持電極２３を形成する各電極Ｃｉ（ｉ＝１〜ｍ）と、データ電極２９を形成する各電極Ｄｊ（ｊ＝１〜ｎ）との各交差部分ごとに、表示セル３１が行列状に配置されている。
【０００７】
次に、ＰＤＰの駆動方法について説明する。現在、ＰＤＰの駆動方法としては、走査期間と維持期間とが分離されている、走査維持分離方式（ＡＤＳ方式）が主流となっている。
以下、図１９を参照して、走査維持分離方式のＰＤＰ駆動方法について説明する。図１９においては、３電極ＡＣ型プラズマディスプレイパネルの１サブフィールド（以下、ＳＦと略称する）の駆動波形の一例を示している。１サブフィールド５は、初期化期間２，走査期間３および維持期間４の３期間から構成されている。
【０００８】
まず、初期化期間２について説明する。初期化期間２の前には、前サブフィールドの維持期間１が存在し、そこまで維持放電が行われているか否かによって、セル内の各電極上の誘電体層の上に、放電によって蓄積される電荷である壁電荷の形成量が異なる。
このまま次の行の書き込みを行うと、この異なる壁電荷量の影響を受けて、書き込み放電をしづらくなったり、誤って書き込みを行ってしまったりすることになる。初期化期間２の役割の一つは、このような前サブフィールドの維持期間１での点灯状態によって異なる、セル内の誘電体層上に放電によって発生する電荷である、壁電荷の状態を初期化リセットすることである。
【０００９】
初期化リセットは、主に、図１９に示す初期化期間２のうちの維持消去期間８で行われる。維持消去期間８では、前サブフィールドの維持期間１において維持放電が発生した場合にのみ、走査電極２２と維持電極２３の間、および走査電極２２とデータ電極２９の間で、弱放電が発生する。弱放電は、矩形波が印加されて一気に強い放電が発生し、電極上の壁電荷の極性が一挙に反転するような放電とは異なり、維持消去期間８において走査電極２２の電圧がランプ波形に従って徐々に変化することによって、弱い放電が持続的に発生するものであり、放電による電極上の壁電荷の変化も小さなものである。
【００１０】
一方、初期化期間２には、このほか、表示データに基づいて線順次にデータを書込む際に、放電を行いやすくするためのプライミング効果を発生させるとともに、壁電荷の状態を書き込み放電に最適な状態にするという役割がある。このような役割が行われるのは、主にプライミング期間９と、壁電荷調整期間１０である。
プライミング期間９では、前サブフィールドの維持期間１での維持放電の発生のいかんに関わらず弱放電が発生し、放電によってプライミング粒子をセル空間内に発生させることによって、書き込み放電が発生しやすい状態にしている。また、プライミング期間９では、走査電極２２の電位が、データ電極２９の電位に対して正極性方向に徐々に増加しており、走査電極２２には負壁電荷が、データ電極２９には正壁電荷がそれぞれ増加する。プライミング粒子の発生、および上記のような壁電荷の増加は、書き込み放電を発生させやすい方向に働き、特に、そのセルにおいて非点灯状態が長く続いていた場合には、プライミング粒子と壁電荷が減少する傾向になるので、それらを補う働きをしている。
【００１１】
また、壁電荷調整期間１０では、プライミング期間９で形成された各電極上の壁電荷量を、適正なパネル駆動ができるように調整している。壁電荷調整期間１０でも、これまでの初期化期間２と同じように、走査電極２２と維持電極２３の間、および走査電極２２とデータ電極２９の間で弱放電が発生する。
壁電荷調整期間１０では、データ電極電位は接地電位に固定され、走査電極電位はランプ波形に従って徐々に低下するので、走査電極電位の最終到達電位は、走査パルス６の電位とほぼ等しくなるようにされる。弱放電の最終状態においては、２つの電極の電位の状態が、放電がぎりぎりで発生しなくなるように、壁電荷が放電によって変化している。
従って、壁電荷調整期間１０において、走査電極２２とデータ電極２９の間には、走査パルス６が印加された際に、データパルス７が印加されなければ、放電が発生しないような壁電荷量の状態になっている。
【００１２】
一方、壁電荷の状態としては、データ電極に正のパルスが少しでも印加されれば、放電が発生するような状態になっており、従って、低いデータパルス電圧で書き込み放電が発生するようになっている。
しかしながら、実際には、電圧が印加されてから放電が発生するまでに時間がかかるため、走査パルス６のような細いパルスの間に放電が発生するためには、ある程度のデータパルス電圧を必要とする。
初期化期間２においては、上記のようにして、壁電荷の初期化リセットと書き込み放電に対して、最適なセル内の状態をつくり出している。
【００１３】
次に走査期間３に入る。走査期間３は、映像信号に対応して、各走査電極２２ごとに順次、書き込み放電の発生の有無に応じて、壁電荷の状態を変化させて、セルに映像情報を書き込んでゆく期間である。走査期間３では、走査電極２２における各電極Ｓ１〜Ｓｍに順次、走査パルス６が印加される。この走査パルス６に合わせて、データ電極２９の各電極Ｄ１〜Ｄｎに、表示パターンに応じてデータパルス７が印加される。図１７において、データパルス７に斜めの線が入っているのは、映像信号に応じて、データパルス７が印加されたり、されなかったりすることを表している。
【００１４】
書き込み放電の発生の有無は、以下のようにして決定される。データパルス７が印加されている場合には、走査電極２２とデータ電極２９の電位差はＶｄとなる。このとき、上述のように、初期化期間２において、走査電極２２とデータ電極２９上には、それぞれ負壁電荷と正壁電荷が形成されており、走査電極２２とデータ電極２９の間の放電空間には、電極間電位差に、これらの壁電荷によって誘電体層にかかる電圧である壁電圧が重畳されて、高い電圧が印加されるため、走査電極２２とデータ電極２９の間で書き込み放電が発生する。
このとき、走査電極２２と維持電極２３間にも大きな電位差が生じているため、書き込み放電が、走査電極２２とデータ電極２９の間で発生すると、走査電極２２と維持電極２３の間で面放電が誘発されて、走査電極２２には正壁電荷が、維持電極２３に負壁電荷が蓄積される。
【００１５】
一方、データパルス７が印加されない画素では、走査電極２２とデータ電極２９の間の放電空間に印加される電位差は放電開始電圧を超えないため放電が発生せず、壁電荷の状態は変化しない。このように、データパルス７の有無によって、２種類の壁電荷の状況をつくり出すことができる。
【００１６】
走査パルス６を全ラインに対して印加し終わると、維持期間４に移行する。維持パルスは、全走査電極２２と全維持電極２３に交互に印加される。維持パルスの電圧値Ｖｓは、書き込み放電が発生しなかった画素では、走査電極２２と維持電極２３の間の放電ギャップ３４近傍の壁電圧と、ほぼ等しくなるように調整されているので、走査電極２２と維持電極２３の間の放電空間には、両電極間の電位差であるＶｓしか印加されず、従って、両電極間では放電（このような、走査電極２２と維持電極２３の間で発生する放電を面放電と呼ぶ）が開始されない。
【００１７】
一方、書き込み放電が発生した画素では、走査電極２２側には正壁電荷があり、維持電極２３側には負壁電荷が存在するため、走査電極２２に印加される、はじめの正の維持パルス（第１維持パルスと呼ぶ）に、この正負の壁電荷が重畳されて、放電開始電圧以上の電圧が放電空間に印加されるので、維持放電が発生する。この放電によって、走査電極２２側には、負の壁電荷が蓄積され、維持電極２３側には正の壁電荷が蓄積される。
【００１８】
次の維持パルス（第２維持パルスと呼ぶ）は維持電極２３側に印加され、上記の壁電荷が重畳されることから、維持放電がここでも発生して、第１維持パルスとは逆の極性の壁電荷が、走査電極２２側と維持電極２３側に蓄積される。
これ以降も、同様の動作によって放電が持続的に発生する。つまり、ｘ回目の維持放電によって発生した壁電荷による電位差が、次のｘ＋１回目の維持パルスに重畳されて、維持放電が持続している。この維持放電の持続回数によって、発光輝度が決定される。
【００１９】
以上説明した初期化期間２，走査期間３および維持期間４を合わせて、サブフィールドと呼ぶ。表示装置において階調表示を行う場合には、１画面の画像情報を表示する期間である１フィールドは、複数のサブフィールドから構成されている。各サブフィールドの維持パルス数を変えて、各サブフィールドを点灯させるか、または非点灯とするかによって、階調表示を行うことができる。
【００２０】
上述した従来のＡＣ型プラズマディスプレイパネルの駆動方法では、同一の駆動波形を印加しても、プラズマディスプレイパネルのセル内の状態の変化に応じて、放電の強度や広がり等が変化するため、セル内の壁電荷の形成量や空間電荷量が異なったものとなる。
特に、初期化期間において壁電荷量や空間電荷量が変化すると、その後の走査期間の書き込み放電状態も異なったものとなるため、誤消灯や誤点灯の発生の原因となる。このようなセル内の状態の変化は、主にパネルの温度や、これまでにパネルを動作させてきたトータルの駆動時間によって生じる。
【００２１】
このようなセル内の状態の変化に基づく、例えば温度の変化による書き込み放電不良に対する対策として、パネル温度に対応して駆動波形を切り替えるようにする駆動方法が、特許文献１に開示されている。この引用例の第６実施例においては、初期化期間（引用例ではリセット期間と記載されている）の駆動波形を温度に応じて切り替えることによって、パネル温度に基づく書き込み放電不良の対策を行っている。
【００２２】
これ以外に、高温時に、より確実な初期化処理を行うための駆動方法として、特許文献２に開示されたものがある。この引用例の方法では、高温時には初期化期間（引用例ではブランク期間＋リセット期間と記載されている）の時間を長くするように駆動している。そして、初期化期間のうちブランク期間を長くすることによって、空間電荷が沈静化して、誤放電が発生しにくくなると説明されている。
【００２３】
【特許文献１】特開平９−６２８３号公報（［０２１０］〜［０２２０］）
【特許文献２】特開２００２−２０７４４９号公報（［００２２］）
【発明の開示】
【発明が解決しようとする課題】
【００２４】
上述した、初期化期間の駆動波形を温度に応じて切り替えることによって、パネル温度に基づく書き込み放電不良の対策を行う従来の方法の場合は、初期化期間の駆動が矩形波による自己消去放電によって行われていて、図１９に示されたようなランプ波形ではない。
自己消去放電は強い放電であって、このような放電によって初期化を行った場合には、微妙な壁電荷制御を行うことはできない。そのため、初期化を最適に行うことが難しいという問題がある。
【００２５】
また、高温時に初期化期間の時間を長くするように駆動し、特に、初期化期間のうちブランク期間を長くすることによって、空間電荷を沈静化して誤放電が発生しにくいようにしようとする従来の方法の場合、誤放電を抑制するためには、空間電荷の制御だけでは不十分であって、壁電荷の制御をセル内の状態に応じて行うことが必要であるという問題がある。
【００２６】
この発明は上述の事情に鑑みてなされたものであって、セル内の状態の変化に対して、セル内の壁電荷を適正にコントロールすることによって、上述のような誤動作を解消して、安定した動作を行うことを可能にした、プラズマ表示装置およびその駆動方法を提供することを目的としている。
【課題を解決するための手段】
【００２７】
上記課題を解決するため、請求項１記載の発明はプラズマ表示装置に係り、互いに平行な走査電極と維持電極とからなる電極対を複数配置した第１の基板と、上記電極対に交差するように複数のデータ電極を配置した第２の基板とを具備し、映像信号に応じて書き込み放電を行う走査期間と、上記書き込み放電を行ったセルを点灯させる維持期間と、上記走査期間に先立ち、それ以前のセル内の壁電荷及び空間電荷を初期化させる初期化期間とによって表示制御されるプラズマ表示装置であって、上記初期化期間はその最後に、上記走査電極と上記データ電極の電位差が徐々に変化する壁電荷調整期間を有し、上記電位差の変化率がパネル温度及び／又はパネルの累積動作時間に応じて制御されるものであることを特徴としている。
【００２８】
また、請求項２記載の発明はプラズマ表示装置に係り、互いに平行な走査電極と維持電極とからなる電極対を複数配置した第１の基板と、上記電極対に交差するように複数のデータ電極を配置した第２の基板とを具備し、１フィールドを分割した複数のサブフィールドにおいて、各サブフィールドが映像信号に応じて書き込み放電を行う走査期間と、上記書き込み放電を行ったセルを点灯させる維持期間と、上記走査期間に先立ち、それ以前のセル内の壁電荷及び空間電荷を初期化させる初期化期間とによって表示制御されるプラズマ表示装置であって、上記サブフィールドのうち少なくとも１つのサブフィールドにおいて、上記初期化期間はその最後に、上記走査電極と上記データ電極の電位差が徐々に変化する壁電荷調整期間を有し、上記電位差の変化率がパネル温度及び／又はパネルの累積動作時間に応じて制御されるものであることを特徴としている。
【００２９】
また、請求項３記載の発明は、請求項２記載のプラズマ表示装置に係り、上記電位差の変化率がパネル温度及び／又はパネルの累積動作時間に応じて制御されるサブフィールドは、上記１フィールドのサブフィールドのうち、最も維持パルス数が多いサブフィールド、又は維持パルスが多い順にＮ個（Ｎは１フィールドのサブフィールド数より小さい整数）のサブフィールドであることを特徴としている。
【００３０】
また、請求項４記載の発明は、プラズマ表示装置の駆動方法に係り、互いに平行な走査電極と維持電極とからなる電極対を複数配置した第１の基板と、上記電極対に交差するように複数のデータ電極を配置した第２の基板とを具備したプラズマ表示装置に対して、上記走査電極に走査パルスを順次印加して映像信号に応じて書き込み放電を行なわせる走査期間と、上記書き込み放電を行ったセルを点灯表示させる維持期間と、上記走査期間に先立って、それ以前のセル内の壁電荷及び空間電荷を初期化させる初期化期間とによって表示制御するとともに、上記初期化期間はその最後に、上記走査電極と上記データ電極の電位差が徐々に変化する壁電荷調整期間を有するプラズマ表示装置の駆動方法において、上記壁電荷調整期間における上記走査電極と上記データ電極の電位差の変化率を、パネル温度及び／又はパネルの累積動作時間に応じて変化させることを特徴としている。
【００３１】
また、請求項５記載の発明は、プラズマ表示装置の駆動方法に係り、互いに平行な走査電極と維持電極とからなる電極対を複数配置した第１の基板と、上記電極対に交差するように複数のデータ電極を配置した第２の基板とを具備したプラズマ表示装置に対して、１つの映像を表示する１フィールドを複数のサブフィールドに分割した各サブフィールドにおいて、上記走査電極に走査パルスを順次印加して映像信号に応じて書き込み放電を行なわせる走査期間と、上記書き込み放電を行ったセルを点灯表示させる維持期間と、上記走査期間に先立って、それ以前のセル内の壁電荷及び空間電荷を初期化させる初期化期間とによって表示制御するとともに、上記初期化期間がその最後に、上記走査電極と上記データ電極の電位差が徐々に変化する壁電荷調整期間を有するプラズマ表示装置の駆動方法において、上記複数のサブフィールドのうち少なくとも一つのサブフィールドにおいて、上記壁電荷調整期間における上記走査電極と上記データ電極の電位差の変化率を、パネル温度及び／又はパネルの累積動作時間に応じて変化させることを特徴としている。
【００３２】
また、請求項６記載の発明は、請求項５記載のプラズマ表示装置の駆動方法に係り、上記壁電荷調整期間における上記走査電極と上記データ電極の電位差の変化率を変化させるサブフィールドを、上記維持期間に印加される維持パルス数の多い側のサブフィールドにおいて設定することを特徴としている。
【００３３】
また、請求項７記載の発明は、請求項５又は６記載のプラズマ表示装置の駆動方法に係り、上記１フィールドの維持パルス数に応じて、上記壁電荷調整期間における上記走査電極と上記データ電極の電位差の変化率を変化させるサブフィールド数を変化させることを特徴としている。
【００３４】
また、請求項８記載の発明は、請求項７記載のプラズマ表示装置の駆動方法に係り、上記１フィールドの維持パルス数が多いほど、上記壁電荷調整期間における上記走査電極と上記データ電極の電位差の変化率を変化させるサブフィールド数を減少させることを特徴としている。
【００３５】
また、請求項９記載の発明は、請求項５乃至８のいずれか一記載のプラズマ表示装置の駆動方法に係り、上記壁電荷調整期間における上記走査電極と上記データ電極の電位差の変化率を変化させるサブフィールド数に応じて、上記走査パルスのパルス幅を変化させることを特徴としている。
【００３６】
また、請求項１０記載の発明は、請求項９記載のプラズマ表示装置の駆動方法に係り、上記壁電荷調整期間における上記走査電極と上記データ電極の電位差の変化率を変化させるサブフィールド数が多いほど、上記走査パルスのパルス幅を小さくすることを特徴としている。
【００３７】
また、請求項１１記載の発明は、請求項４乃至１０のいずれか一記載のプラズマ表示装置の駆動方法に係り、上記パネル温度が高いほど、上記壁電荷調整期間における上記走査電極と上記データ電極の電位差の変化率を小さくすることを特徴としている。
【００３８】
また、請求項１２記載の発明は、請求項４乃至１１のいずれか一記載のプラズマ表示装置の駆動方法に係り、上記パネルの累積動作時間が長いほど、上記壁電荷調整期間における上記走査電極と上記データ電極の電位差の変化率を大きくすることを特徴としている。
【００３９】
また、請求項１３記載の発明は、請求項４乃至１２のいずれか一記載のプラズマ表示装置の駆動方法に係り、上記壁電荷調整期間における上記走査電極と上記データ電極の電位差の変化率の変化にかかわらず、上記壁電荷調整期間における上記走査電極と上記データ電極の最終到達電位差を変化させないことを特徴としている。
【００４０】
また、請求項１４記載の発明は、請求項４乃至１３のいずれか一記載のプラズマ表示装置の駆動方法に係り、上記壁電荷調整期間における上記走査電極と上記データ電極の電位差の変化率に応じて、上記壁電荷調整期間の長さを変化させることを特徴としている。
【００４１】
また、請求項１５記載の発明は、請求項４乃至１４のいずれか一記載のプラズマ表示装置の駆動方法に係り、上記走査電極と上記データ電極の電位差が変化している期間の後に、上記電位差が一定となる保持期間を有し、上記壁電荷調整期間における上記走査電極と上記データ電極の電位差の変化率の変化にかかわらず、上記保持期間を変化させないことを特徴としている。
【００４２】
また、請求項１６記載の発明は、請求項４乃至１５のいずれか一記載のプラズマ表示装置の駆動方法に係り、上記維持期間の維持パルス数に応じて、上記壁電荷調整期間における上記走査電極と上記データ電極の電位差の変化率を変化させることを特徴としている。  
【００４３】
また、請求項１７記載の発明は、請求項４乃至１６のいずれか一記載のプラズマ表示装置の駆動方法に係り、上記パネル温度及び／又はパネルの累積動作時間における、少なくとも一つの閾値に応じて、予め設定された所定の変化率になるように、上記壁電荷調整期間における上記走査電極と上記データ電極の電位差の変化率を変化させることを特徴としている。
【００４４】
また、請求項１８記載の発明は、請求項４乃至１７のいずれか一記載のプラズマ表示装置の駆動方法に係り、上記壁電荷調整期間における上記走査電極と上記データ電極の電位差の変化率に応じて、上記走査パルスのパルス幅を変化させることを特徴としている。
【００４５】
また、請求項１９記載の発明は、請求項１８記載のプラズマ表示装置の駆動方法に係り、上記壁電荷調整期間における上記走査電極と上記データ電極の電位差の変化率が小さいほど、上記走査パルスのパルス幅を小さくすることを特徴としている。
【発明の効果】
【００４６】
本発明のプラズマ表示装置及びその駆動方法においては、壁電荷調整期間における走査電極とデータ電極の電位差の変化率を、パネル温度及び／又はパネルの累積動作時間に応じて変化させるようにしたので、パネル温度によって駆動マージンが変化するプラズマディスプレイパネルを持つプラズマ表示装置の場合に、正常に駆動できる保証温度範囲を拡大することができるとともに、パネルのトータルの動作時間によって駆動マージンが変化するプラズマディスプレイパネルを持つプラズマ表示装置の場合に、動作寿命時間を延長することが可能となる。
【発明を実施するための最良の形態】
【００４７】
ＡＣ型プラズマディスプレイパネルを駆動する際に、走査期間に先立ち、それ以前のセル内の壁電荷及び空間電荷を初期化させる初期化期間の最後に、走査電極とデータ電極の電位差が徐々に変化する壁電荷調整期間を設けて、走査電極とデータ電極の電位差の変化率をパネル温度及び／又はパネルの累積動作時間に応じて制御する。
また、このような制御を、１つの映像を表示する１フィールドを複数のサブフィールドに分割した各サブフィールドのうち、少なくとも一つのサブフィールドにおいて行わせるようにする。
この際、好ましくは、壁電荷調整期間における走査電極とデータ電極の電位差の変化率を変化させるサブフィールドを、維持期間に印加される維持パルス数の多い側のサブフィールドにおいて設定する。
【００４８】
また、好ましくは、１フィールドの維持パルス数が多いほど、壁電荷調整期間における走査電極とデータ電極の電位差の変化率を変化させるサブフィールド数を減少させる。
また、好ましくは、壁電荷調整期間における走査電極とデータ電極の電位差の変化率を変化させるサブフィールド数が多いほど、走査パルスのパルス幅を小さくする。
また、好ましくは、パネル温度が高いほど、壁電荷調整期間における走査電極とデータ電極の電位差の変化率を小さくする。
【００４９】
また、好ましくは、パネルの累積動作時間が長いほど、壁電荷調整期間における走査電極とデータ電極の電位差の変化率を大きくする。
また、壁電荷調整期間における走査電極とデータ電極の電位差の変化率の変化にかかわらず、壁電荷調整期間における走査電極とデータ電極の最終到達電位差を変化させないようにして、駆動波形の設定電圧を増やさないようにする。
【００５０】
また、好ましくは、壁電荷調整期間における走査電極とデータ電極の電位差の変化率に応じて、壁電荷調整期間の長さを変化させる。
また、好ましくは、走査電極とデータ電極の電位差が変化している期間の後に、電位差が一定となる保持期間を有し、壁電荷調整期間における走査電極とデータ電極の電位差の変化率の変化にかかわらず、保持期間を変化させないようにする。
また、好ましくは、維持期間の維持パルス数に応じて、壁電荷調整期間における走査電極とデータ電極の電位差の変化率を変化させる。
【００５１】
また、パネル温度及び／又はパネルの累積動作時間における、少なくとも一つの閾値に応じて、予め設定された所定の変化率になるように、壁電荷調整期間における走査電極とデータ電極の電位差の変化率を変化させることによって、アナログ的な処理で電圧変化率を変化させる際の回路規模を削減可能にする。
また、好ましくは、壁電荷調整期間における走査電極とデータ電極の電位差の変化率が小さいほど、走査パルスのパルス幅を小さくする。
【実施例１】
【００５２】
図１は、本発明の第１実施例における、プラズマディスプレイパネルの駆動波形の初期化期間付近の詳細を示す図、図２において（ａ）は、本実施例のプラズマディスプレイパネルの壁電荷調整期間における、電圧が変化する期間の時間と温度との関係を示す図、図３は、本実施例のプラズマディスプレイパネルにおける、正常に動作するための最小および最大のデータパルス電圧の温度依存性を示す図である。
この例が適用されるプラズマディスプレイパネルは、図１７および図１８に示された従来のプラズマディスプレイパネルと同様なので、これについての詳細な説明は省略する。
【００５３】
この例のプラズマ表示装置においては、プラズマディスプレイパネルの温度を測定するために、パネル背面にある駆動基板上に温度センサを設けている。プラズマディスプレイパネルにおける放電状態には、パネル内の放電セルの温度が最も影響するものと考えられるので、放電セル自体の温度を測定することが望ましいが、実際は困難なので、パネルから至近距離にある駆動基板上に温度センサを配置して、その部分の温度をもとに、間接的にパネル温度を換算して推定することによって、実質的にパネル温度を測定するようにしている。なお、温度センサは、必ずしもパネル背面の駆動基板上にある必要はなく、プラズマディスプレイのセット内の少し離れた場所でも実際上は支障がないので、この部分の測定温度からパネル温度を求めるようにしてもよい。
【００５４】
次に、この例のプラズマ表示装置の駆動方法について詳細に説明する。この例において、１サブフィールドの駆動シーケンスが、初期化期間２，走査期間３および維持期間４から構成されているという基本的構成は、図１９に示された従来例の場合と同様である。
図１においては、この例の場合のプラズマディスプレイパネルの駆動方法における、初期化期間２の部分の駆動波形を詳細に示している。この例の場合は、プラズマディスプレイパネルの設定温度Ｔｔｈを境として、初期化期間２のうちの壁電荷調整期間１０において、走査電極Ｓに印加する波形の電圧変化率を変えている。
【００５５】
図１において（ａ）は、パネル温度が設定温度より低い場合を示し、壁電荷調整期間１０において、走査電極電位は、維持パルスの振幅Ｖｓに相当する電位からランプ波形に従って徐々に低下し、時間ｔｐｅ１後に電位差Ｖｐｅだけ低下して、走査電極とデータ電極との電位差は、最終到達電位差の状態となったのち、一定の保持期間ｔｗの間、同じ電位に維持される。この場合の走査電極の最終到達電位（Ｖｓ−Ｖｐｅ）は、走査パルス６の電位とほぼ等しくなるようにされる。
【００５６】
また、図１において（ｂ）は、パネル温度が設定温度より高い場合を示し、壁電荷調整期間１０において、走査電極電位は、維持パルスの振幅Ｖｓに相当する電位からランプ波形に従って徐々に低下し、時間ｔｐｅ２後に電位差Ｖｐｅだけ低下して、走査電極とデータ電極との電位差は、最終到達電位差の状態となったのち、パネル温度が設定温度より低い場合と同様に一定の保持期間ｔｗの間、同じ電位に保持される。また、この場合の走査電極の最終到達電位（Ｖｓ−Ｖｐｅ）も、パネル温度が設定温度より低い場合と同様に、走査パルス６の電位とほぼ等しくなるようにされる。
【００５７】
図２において（ａ）は、この例の場合の、走査電極に印加する電圧が変化している時間ｔｐｅを示したものであって、測定温度が設定温度Ｔｔｈより低い場合は、電圧変化率をＶｐｅ／ｔｐｅ１とし、設定温度Ｔｔｈより高い場合は、電圧変化率をＶｐｅ／ｔｐｅ２として小さくすることが示されている。ここでＶｐｅは、壁電荷調整期間１０において、走査電極に印加する電圧が徐々に変化する期間における、電圧の変化幅を示している。
【００５８】
図２（ａ）に示すように、パネル温度が高くなったとき、走査電極印加電圧の電圧変化率を小さくすることによって、壁電荷調整期間１０において発生する弱放電の放電強度が低下する。
この場合、放電によって発生する空間電荷量は、放電強度によって異なっていて、放電強度が大きいほど、多くの空間電荷が発生し、これによって、電極上に形成される壁電荷量も多くなる。
【００５９】
走査電極印加電圧の電圧変化率を小さくすると、逆に放電強度が低下するため、壁電荷調整期間１０に放電によって変化する壁電荷量が小さくなる。プライミング期間９においては、走査電極Ｓには負壁電荷が形成され、データ電極Ｄには正壁電荷が形成されており、壁電荷調整期間１０では、プライミング期間９とは逆極性に、走査電極Ｓとデータ電極Ｄの電位差が徐々に変化するため、形成されていた走査電極Ｓとデータ電極Ｄの壁電荷が減少する方向に変化する。この場合、走査パルス６が負極性で、データパルス７が正極性であるため、走査電極上の負壁電荷とデータ電極上の正壁電荷は、それぞれ走査パルス６およびデータパルス７に電圧が加算される形となって、壁電荷量が多いほど書き込み放電が発生しやすくなる。
【００６０】
このように、パネル温度が高い場合に、壁電荷調整期間１０の電圧変化率を小さくすることによって、書き込み放電を発生させやすくすることができ、書き込み放電に必要な最小のデータパルス電圧Ｖｄｍｉｎを引き下げることができる。
【００６１】
図３においては、書き込み放電に必要な最小のデータパルス電圧Ｖｄｍｉｎの温度依存性を示しており、従来の特性を一点鎖線で示している。従来の駆動方法では、温度が上昇するのに伴ってＶｄｍｉｎが上昇して、保証動作温度範囲内において、データパルス電圧の設定値であるＶｄを超えてしまうため、書き込み不良が発生していたが、この例の駆動方法では、設定温度Ｔｔｈを境として、壁電荷調整期間１０における電圧変化率を小さくするようにしたので、書き込み放電に必要な最小のデータパルス電圧Ｖｄｍｉｎが引き下げられており、保証動作温度範囲内で、データパルス電圧Ｖｄｍｉｎを設定電圧Ｖｄ以下とすることができる。従って、この例のプラズマ表示装置の駆動方法によれば、保証動作温度範囲内で、温度上昇に基づく書き込み不良をなくすことができる。
【００６２】
一方、パネル温度が低い状態では、逆に書き込み放電が発生しやすい状態となる。このため、他の走査ラインの書き込みを行うためのデータパルス７の印加によって、走査パルスが印加されない状態で、走査電極２２とデータ電極２９の間で、誤放電が発生しやすくなる。そして、このような誤放電が発生すると、維持期間４でも誤放電が発生して、誤点灯として表示に現れてしまうことになる。
【００６３】
走査期間４において走査パルス６が印加されていない期間に、走査電極２２とデータ電極２９との間で、誤放電が発生しないような、データパルス電圧Ｖｄの上限値Ｖｄｍａｘは、温度が低くなるほど低下する。
この例においては、図２（ａ）に示すように、設定温度Ｔｔｈを境として電圧変化率を変えているので、設定温度Ｔｔｈ以下では、放電が発生しにくい状態となる。このため、誤放電が発生しないような、データパルス電圧Ｖｄの上限であるＶｄｍａｘは、図３に示すように、設定温度Ｔｔｈを境として低温側では引き上げられている。
【００６４】
このように、この例のプラズマ表示装置の駆動方法では、設定温度Ｔｔｈを境として、壁電荷調整期間１０の走査電極電圧の変化率を切り替えることによって、パネル温度による、書き込み放電に必要な最小のデータパルス電圧Ｖｄｍｉｎ、および誤放電が発生しないような、データパルス電圧Ｖｄの上限値であるＶｄｍａｘの変動を抑えて、全保証動作温度範囲内において、データパルス電圧の設定電圧値Ｖｄで正常に動作させることができる。
【実施例２】
【００６５】
図４は、本発明の第２実施例における、プラズマディスプレイパネルにおける１フィールドの構成を示す図、図５は、本実施例における、プラズマディスプレイパネルの駆動波形の初期化期間付近の詳細を示す図である。
この例が適用されるプラズマディスプレイパネルは、図１７および図１８に示された従来のプラズマディスプレイパネルと同様である。この例の場合も、パネル背面にある駆動基板上に温度センサが設けられていて、パネル温度を測定することができるようになっている。
【００６６】
この例のプラズマディスプレイパネルの駆動方法は、パネル温度が設定温度Ｔｔｈよりも高い場合の駆動波形において、走査期間３の走査パルス６のパルス幅を、温度が低い場合よりも狭くする以外は、前述の第１実施例の場合と同様であって、図１に示されたような、壁電荷調整期間１０における、パネル温度が設定温度より低い場合と高い場合とで、走査電極電圧の変化率を変化させる方法と、これらの場合の最終到達電位差及び保持期間の設定方法も同様である。
【００６７】
第１実施例の場合は、壁電荷調整期間１０においてのみ、パネル温度に応じて制御方法を切り替えているが、走査期間３および維持期間４における、走査パルス数やパルス幅の切り替えは行っていない。そのため、図４（ａ）に示すように、１つの画像を書き込むために必要な時間が、低温時と高温時とで異なっている。
すなわち、図４（ａ）においては、１フィールドが５サブフィールドで構成される場合を例示しているが、低温時には、壁電荷調整期間１０が存在する初期化期間２が短くなっている分だけ、１フィールドの最後の部分に、放電が全く行われないブランク期間が存在している。
【００６８】
図１９に示されたように、現在、製品に適用されているプラズマディスプレイパネルの駆動方法では、多くの場合、１サブフィールドは、初期化期間２，走査期間３及び維持期間４から構成されているが、そのうち、表示のための放電が行われるのは、維持期間４だけなので、維持期間４を極力長くして、維持パルス数をできるだけ多くすることが、表示輝度を高くする上で望ましい。しかしながら、図４（ａ）に示されたように、第１実施例の場合は、低温時にブランク期間が存在するため、１フィールド内の放電に寄与できる時間を有効に活用することができないという問題がある。
【００６９】
そこでこの例においては、図５に示すように、高温時には、壁電荷調整期間１０の時間を長くするとともに、走査期間３における走査パルス６のパルス幅をｔｗ１からｔｗ２に狭くして、低温時よりも走査期間３の時間を短縮するようにしている。
【００７０】
セルの放電は電圧が印加されてから直ちに発生するものではなく、ある程度の時間遅れて発生する。この際、ある一定以上の表示特性を得る上で問題のないレベルで放電が発生するまでに要する時間は、放電遅れ時間と呼ばれている。書き込み放電においても、この放電遅れ時間が走査パルス幅よりも短くなければならない。一般的に、放電遅れ時間は、温度が高くなるほど短くなる傾向がある。そのため、温度が高くなった場合には、放電遅れ時間長よりも大きな幅で、走査パルス幅を短縮しても、書き込み不良は発生しない。
【００７１】
そこで、高温時に走査パルス幅を短縮することによって、高温時に壁電荷調整期間１０が長くなった分を、走査パルス幅の短縮による走査期間の３の短縮によって補うことができ、図４（ｂ）に示すように、低温時と高温時とで、一つの映像を表示するのに必要な時間を同じにすることができるので、この例の場合は、図４（ａ）に示す第１実施例の場合のように、ブランク期間を設ける必要がなくなる。
一方、書き込み放電に必要な最小のデータパルス電圧Ｖｄｍｉｎの温度依存性については、図３に示された第１実施例の場合と同様に、保証動作温度範囲内において、データパルス電圧の設定電圧Ｖｄで正常に動作させることができる。
【００７２】
このように、この例のプラズマ表示装置の駆動方法では、高温時に走査電極電圧の変化率を小さくすることによって、壁電荷調整時間１０の時間が長くなった分を、走査パルス幅の短縮による走査期間３の短縮によって補うようにしたので、低温時と高温時とで、１つの映像を表示するのに必要な時間を同じにすることができ、放電が行われないブランク期間を設ける必要がなくなる。
【実施例３】
【００７３】
図２において（ｂ）は、本発明の第３実施例における、プラズマディスプレイパネルの壁電荷調整期間における、電圧が変化する期間の時間と温度との関係を示す図、図６は、本実施例における、プラズマディスプレイパネルが正常に動作するための最小および最大のデータパルス電圧の温度依存性を示す図である。
この例が適用されるプラズマディスプレイパネルは、図１７および図１８に示された従来のプラズマディスプレイパネルと同様である。この例の場合も、パネル背面にある駆動基板上に温度センサが設けられていて、パネル温度を測定することができるようになっている。
【００７４】
この例のプラズマディスプレイパネルの駆動方法においては、図２（ｂ）に示すように、Ｔｔｈ１とＴｔｈ２のように、走査電極電圧の変化率を切り替える閾値となる設定温度を２つ設けた以外は、基本的な駆動波形の構成と、温度によって壁電荷調整期間１０の電圧変化率を切り替える動作については、第１実施例の場合と同様である。
この例においては、パネル温度が、設定温度Ｔｔｈ１より低い場合と、両設定温度Ｔｔｈ１，Ｔｔｈ２の中間の温度の場合と、設定温度Ｔｔｈ２より高い場合との３つの場合に分けて、壁電荷調整期間１０における電圧変化率を、図２（ｂ）に示すように３段階に変化させている。
【００７５】
この例によれば、図２（ａ）に示された第１実施例の場合よりも、小刻みに電圧変化率を切り替えているので、図６に示すように、書き込み放電に必要な最小のデータパルス電圧Ｖｄｍｉｎの温度依存性を小さく抑えることができる。
一方、走査パルス６が印加されていない期間に、走査電極２２とデータ電極２９との間で、誤放電が発生しないような、データパルス電圧Ｖｄの上限であるＶｄｍａｘの温度依存性についても、低温時の低下を抑制することができる。
【００７６】
このように、この例のプラズマ表示装置の駆動方法では、設定温度Ｔｔｈ１，Ｔｔｈ２を境として、壁電荷調整期間１０の走査電極電圧の変化率を切り替えることによって、書き込み放電に必要な最小のデータパルス電圧Ｖｄｍｉｎ、および誤放電が発生しないような、データパルス電圧Ｖｄの上限値であるＶｄｍａｘの変動を第１実施例の場合より小さく抑えて、全保証動作温度範囲内において、設定されたデータパルス電圧Ｖｄで正常に動作させることができる。
【実施例４】
【００７７】
図２において（ｃ）は、本発明の第４実施例における、プラズマディスプレイパネルの壁電荷調整期間における、電圧が変化する期間の時間と温度との関係を示す図、図７は、本発明の第４実施例における、プラズマディスプレイパネルが正常に動作するための最小および最大のデータパルス電圧の温度依存性を示す図である。
この例が適用されるプラズマディスプレイパネルは、図１７および図１８に示された従来のプラズマディスプレイパネルと同様である。この例の場合も、パネル背面にある駆動基板上に温度センサが設けられていて、パネル温度を測定することができるようになっている。
【００７８】
プラズマディスプレイパネルにおいては、セルピッチや電極の構造、あるいは誘電体の膜厚等によって、書き込み放電に必要な最小のデータパルス電圧Ｖｄｍｉｎの温度依存性は、異なるものとなる。
いま、プラズマディスプレイパネルにおいて、従来のように、壁電荷調整期間１０の電圧変化率を保証動作温度範囲内でＶｐｅ／ｔｐｅ１一定とすると、図７において一点鎖線で示すように、高温時に、前述の第１実施例の場合よりも、データパルス電圧Ｖｄｍｉｎが上昇する。
そこで、この例のプラズマディスプレイパネルの駆動方法では、壁電荷調整期間１０の電圧変化率を切り替える際の閾値となる設定温度を、図２（ｃ）に示すように３つに増加させて、Ｔｔｈ３，Ｔｔｈ４，Ｔｔｈ５としている。
【００７９】
これによって、図７において実線で示すように、書き込み放電に必要な最小のデータパルス電圧Ｖｄｍｉｎを設定電圧であるＶｄ以下に抑えることができ、書き込み不良を発生させることはない。
一方、走査パルス６が印加されていない期間に、走査電極２２とデータ電極２９との間で、誤放電が発生しないような、データパルス電圧Ｖｄの上限であるＶｄｍａｘについても、図７において実線で示されたように、一点鎖線で示す従来の駆動方法の場合の保証動作温度範囲の最低温度でのＶｄｍａｘを下回ることはなく、従って、全保証動作温度範囲内で、設定されたデータパルス電圧Ｖｄで正常に駆動することができる。
【００８０】
このように、この例のプラズマ表示装置の駆動方法では、設定温度Ｔｔｈ３，Ｔｔｈ４，Ｔｔｈ５を境として、壁電荷調整期間１０の走査電極電圧の変化率を切り替えることによって、書き込み放電に必要な最小のデータパルス電圧Ｖｄｍｉｎ、および誤放電が発生しないような、データパルス電圧Ｖｄの上限値であるＶｄｍａｘの変動を第１実施例の場合と比べてさらに小さく抑えて、全保証動作温度範囲内において、設定されたデータパルス電圧Ｖｄで正常に動作させることができる。
【実施例５】
【００８１】
図２において（ｄ）は、本発明の第５実施例における、プラズマディスプレイパネルの壁電荷調整期間における、電圧が変化する期間の時間と温度との関係を示す図、図８は、本実施例における、プラズマディスプレイパネルが正常に動作するための最小および最大のデータパルス電圧の温度依存性を示す図である。
この例が適用されるプラズマディスプレイパネルは、図１７および図１８に示された従来のプラズマディスプレイパネルと同様である。この例の場合も、パネル背面にある駆動基板上に温度センサが設けられていて、パネル温度を測定することができるようになっている。
【００８２】
この例のプラズマディスプレイパネルの駆動方法においては、図２（ｄ）に示すように、パネル温度に対して電圧変化率を連続的に変化させている点以外は、第１実施例の場合と同様である。
この例の場合、壁電荷調整期間１０における走査電極電圧の変化率を連続的に変化させることによって、図８に示すように、書き込み放電に必要な最小のデータパルス電圧Ｖｄｍｉｎと、誤放電が発生しないような、データパルス電圧Ｖｄの上限であるＶｄｍａｘとの温度依存性も連続的に変化し、例えば第１実施例の場合に図３で示されたような、切り替えの設定温度Ｔｔｈでのデータパルス電圧Ｖｄｍｉｎの低温側への変化時における不連続的な上昇、およびデータパルス電圧Ｖｄｍａｘの高温側への変化時における不連続的な低下をなくすことができ、従って、切り替え設定温度でのデータパルス電圧の駆動マージンの圧迫を抑制することができる。
【００８３】
このように、この例のプラズマ表示装置の駆動方法では、壁電荷調整期間１０の走査電極電圧の変化率をパネル温度に応じて連続的に切り替えることによって、書き込み放電に必要な最小のデータパルス電圧Ｖｄｍｉｎ、および誤放電が発生しないような、データパルス電圧Ｖｄの上限値であるＶｄｍａｘの変動を小さく抑えて、全保証動作温度範囲内において、設定されたデータパルス電圧Ｖｄで正常に動作させることができるとともに、設定温度の切り替えを行う場合のような、切り替え設定温度でのデータパルス電圧の駆動マージンの圧迫を抑制することが可能となる。
【実施例６】
【００８４】
図９において（ａ）は、本発明の第６実施例における、プラズマディスプレイパネルの各サブフィールドの壁電荷調整期間の電圧が変化する期間の時間を示す図である。
この例が適用されるプラズマディスプレイパネルは、図１７および図１８に示された従来のプラズマディスプレイパネルと同様である。この例の場合も、パネル背面にある駆動基板上に温度センサが設けられていて、パネル温度を測定することができるようになっている。
この例の場合における、基本的な駆動波形の構成は第１実施例の場合と同様であり、壁電荷調整期間１０において電圧変化率の切り替えを行う設定温度は、Ｔｔｈのみとしている。
【００８５】
この例は、１フィールドを８サブフィールドで構成した場合を示している。図９（ａ）においては、各サブフィールド（図中、ＳＦで示す）における、概略の維持パルス数の比率が示されている。各サブフィールドの維持パルス数の比率は、そのサブフィールドが選択されて維持放電が発生した場合の発光強度にほぼ比例している。
さらに、図９（ａ）においては、それぞれの温度範囲における壁電荷調整期間１０の、電圧が変化している期間の時間ｔｐｅを示している。
走査電極に印加する電圧が直線的に変化する時間ｔｐｅ１とｔｐｅ２は、図２（ａ）および図１に示すように、ｔｐｅ１＜ｔｐｅ２であって、時間ｔｐｅ２の場合の方が電圧変化率が小さい。
【００８６】
この例においては、高温時に壁電荷調整期間１０の幅を拡げる形態を、８サブフィールドのうち、４サブフィールドのみ行い、それ以外の期間は行っていない。このようにすることによって、電圧変化率の切り替えを、すべてのサブフィールドで行う場合よりも、維持期間４を長く確保することができ、高い表示輝度を得ることができる。
この場合、電圧変化率の切り替えを行っていないサブフィールドでは、書き込み不良が発生しやすくなるので、電圧変化率を小さくするサブフィールドの数が時間的に制約されるこの例では、図９（ａ）に示すように、維持サイクル数がより多い上位サブフィールドで、電圧変化率の切り替えを行うことによって、維持サイクル数が少ない下位サブフィールドで電圧変化率の切り替えを行う場合よりも、書き込み不良が発生して誤消灯した場合の輝度変化を抑えて、誤消灯が目立たないようにしている。
【００８７】
このように、この例のプラズマ表示装置の駆動方法では、１フィールド中の一部のサブフィールドのみにおいて、高温時に壁電荷調整期間１０に走査電極電圧が変化する時間を長くする制御を行うことによって、それ以外のサブフィールドでの維持期間を長くして表示輝度を高くするとともに、このような制御を上位サブフィールドで行うことによって、誤消灯が目立たないようにすることができる。
【実施例７】
【００８８】
図９において（ｂ）は、本発明の第７実施例における、プラズマディスプレイパネルの各サブフィールドの壁電荷調整期間の電圧が変化する期間の時間を示す図である。
この例が適用されるプラズマディスプレイパネルは、図１７および図１８に示された従来のプラズマディスプレイパネルと同様である。この例の場合も、パネル背面にある駆動基板上に温度センサが設けられていて、パネル温度を測定することができるようになっている。
この例の場合における、基本的な駆動波形の構成は第１実施例の場合と同様である。また、この例におけるサブフィールドの構成は、図９（ａ）に示された第６実施例の場合と同様である。さらに、この例においては、図５に示された第２実施例の場合と同様に、高温時の走査パルス６のパルス幅を小さくしている。
【００８９】
図９（ｂ）においては、それぞれの温度範囲における、壁電荷調整期間１０において走査電極の電圧が変化している期間の時間ｔｐｅと、走査パルス幅とが示されている。高温時に走査パルス幅を短縮することによって、走査期間３の時間を短縮することができるため、前述の第６実施例の場合と比較して、高温時に電圧変化率を小さくしたサブフィールドの数を増加させて、６個としている。
この場合も、第６実施例の場合と同様に、より維持サイクル数が多い上位サブフィールドで電圧変化率の切り替えを行うことによって、書き込み不良が発生して誤消灯した場合の輝度変化を小さく抑えて、誤消灯が目立たないようにしている。
【００９０】
このように、この例のプラズマ表示装置の駆動方法では、パネル温度Ｔｔｈ以上の場合に走査パルス幅を短縮して走査期間３の時間を短縮することによって、高温時に壁電荷調整期間１０に走査電極電圧を変化する時間を長くする制御を行う１フィールド中のサブフィールド数を多くすることができるとともに、このような制御を維持パルス数が多い上位サブフィールド側で行うことによって、誤消灯が目立たないようにすることができる。
【実施例８】
【００９１】
図９において（ｃ）は、本発明の第８実施例における、プラズマディスプレイパネルの各サブフィールドの壁電荷調整期間の電圧が変化する期間の時間を示す図である。
この例が適用されるプラズマディスプレイパネルは、図１７および図１８に示された従来のプラズマディスプレイパネルと同様である。この例の場合も、パネル背面にある駆動基板上に温度センサが設けられていて、パネル温度を測定することができるようになっている。
この例の場合における、基本的な駆動波形の構成は第１実施例の場合と同様であり、壁電荷調整期間１０において電圧変化率の切り替えを行う設定温度は、第３実施例の場合と同様に、３段階としている。この例におけるサブフィールドの構成は、図９（ａ），（ｂ）に示された第６実施例，第７実施例の場合と同様である。
【００９２】
図９（ｃ）においては、それぞれの温度範囲における壁電荷調整期間１０の、走査電極の電圧が変化している期間の時間を示している。この例の場合も、第６実施例およひ第７実施例と同様に、より維持パルス数が多い上位サブフィールドで電圧変化率の切り替えを行うことによって、書き込み不良が発生して誤消灯した場合の輝度変化を小さく抑えて、誤消灯を目立たなくしている。
また、温度による電圧変化率の切り替えを３段階とすることによって、第３実施例の場合と同様に、書き込み放電に必要な最小のデータパルス電圧Ｖｄｍｉｎの温度依存性を小さく抑えることができる。一方、誤放電が発生しないような、データパルス電圧Ｖｄの上限であるＶｄｍａｘの温度依存性も小さくすることができる。
【００９３】
なお、この例においては、走査パルス幅については、温度によって変更する制御を行わなかったが、走査パルス幅を高温時に短縮するようにすれば、より多くのサブフィールドで、壁電荷調整期間１０における走査電極電圧の変化率を小さくすることができる。
【００９４】
このように、この例のプラズマ表示装置の駆動方法では、パネル温度に応じて３段階に切り替えて、高温時に壁電荷調整期間１０に走査電極電圧が変化する時間を長くする制御を行うことによって、データパルス電圧Ｖｄｍｉｎとデータパルス電圧Ｖｄｍａｘの温度依存性を小さく抑えることができるとともに、このような制御を維持パルス数が多い上位サブフィールド側で行うことによって、誤消灯が目立たないようにすることができる。
【実施例９】
【００９５】
図１０は、本発明の第９実施例における、プラズマディスプレイパネルの電圧変化率が小さいサブフィールド数の画面平均階調数依存性を示す図である。
この例が適用されるプラズマディスプレイパネルは、図１７および図１８に示された従来のプラズマディスプレイパネルと同様である。この例の場合も、パネル背面にある駆動基板上に温度センサが設けられていて、パネル温度を測定することができるようになっている。
この例の場合における、基本的な駆動波形の構成は第１実施例の場合と同様であり、温度によって壁電荷調整期間１０において電圧変化率の切り替えを行う期間の時間の切り替えは１回としている。また、１フィールドを８サブフィールドで構成している。
【００９６】
この例においては、１フィールドにおける維持パルス数の合計を、画面全体の平均信号映像レベル（ＡＰＬ）に応じて、図１０において破線で示すように変化させている。平均信号映像レベルが高い場合には、維持パルス数を少なく抑えて表示輝度を低くして消費電力を低減するとともに、また、観察者にとって表示がまぶしすぎないようにしている。
【００９７】
また、平均信号映像レベルが低い場合には、維持パルス数を増加させて、暗い画面での小面積の高階調部分をより高輝度にすることによって、よりコントラストの高い魅力的な画面にすることができる。このように維持パルス数を増加させても、もともと平均信号映像レベルが低いので、全体としてそれほど、消費電力が増加することはない。
維持パルス数を多くするためには、維持期間４を長くとらなければならないが、そのため、図１０に実線で示すように、平均信号映像レベルが低くなるにつれて、電圧の変化率を小さくするサブフィールド数を少なくしている。
【００９８】
この場合も、第６実施例乃至第８実施例の場合と同様に、より維持サイクル数の多い上位サブフィールドで電圧変化率の切り替えを行うことによって、書き込み不良が発生して誤消灯した場合の輝度変化を小さく抑えて、誤消灯が目立たないようにしている。
【００９９】
このように、この例のプラズマ表示装置の駆動方法では、平均信号映像レベルが高い場合には、１フィールドにおける合計の維持パルス数を少なく抑えて表示輝度を低下させて消費電力を低減し、また、平均信号映像レベルが低いときは、走査電圧の変化率を小さくするサブフィールド数を少なくすることによって、維持期間４を長くして維持パルス数を多くすることによって表示輝度を上昇させている。この場合も、より維持サイクル数の多い上位サブフィールドで電圧変化率の切り替えを行うことによって、誤消灯が目立たないようにすることができる。
【実施例１０】
【０１００】
図１１は、本発明の第１０実施例における、プラズマディスプレイパネルの電圧変化率が小さいサブフィールド数の画面平均階調数依存性を示す図である。
この例が適用されるプラズマディスプレイパネルは、図１７および図１８に示された従来のプラズマディスプレイパネルと同様である。この例の場合も、パネル背面にある駆動基板上に温度センサが設けられていて、パネル温度を測定することができるようになっている。
この例の場合においては、平均信号映像レベル（ＡＰＬ）に応じて走査パルス幅を変化させる点以外は、前述の第８実施例の場合と同様である。
【０１０１】
この例においては、平均信号映像レベルが低いほど、走査パルス幅を短縮して得られた時間を、壁電荷調整期間１０の延長に宛てることによって、図１１に示すように、同じ平均信号映像レベルのときの電圧変化率が小さいサブフィールド数の数を、前述の第９実施例の第１０図の場合と比較して、より多く設定することができる。
【０１０２】
このように、この例のプラズマ表示装置の駆動方法では、平均信号映像レベルが低いほど、走査パルス幅を短縮するようにしたので、電圧変化率の小さいサブフィールドをより多く設定することができる。
【実施例１１】
【０１０３】
図１２は、本発明の第１１実施例における、プラズマディスプレイパネルが正常に動作するための最小および最大のデータパルス電圧の動作時間依存性を示す図、図１３は、本実施例における、プラズマディスプレイパネルの壁電荷調整期間の電圧が変化する期間の時間と動作時間との関係を示す図である。
この例が適用されるプラズマディスプレイパネルは、図１７および図１８に示された従来のプラズマディスプレイパネルと同様である。なお、この例における、プラズマディスプレイパネルの動作時間とは、プラズマディスプレイパネルモジュールの製作後に、表示を行った累計時間を意味している。技術的には、実際に各セルをオンにした時間の和であるが、実用上は、各セルの累計発光時間のばらつきは大きくないと考えられるので、パネル使用時間の累計で定義することができる。例えば、テレビ表示器等の場合は、実映像で考えるべきなので、累計動作時間のうち、およそ３０％程度が、実際に各セルが点灯されている時間と考えられる。
【０１０４】
従来のプラズマディスプレイパネルでは、トータルの動作時間が短い初期状態では、動作電圧の変動が大きいが、ある程度動作時間が長くなると、動作電圧が次第に安定する。
例えば、図１２において一点鎖線で示すように、初期状態では、データパルス電圧における、書き込み放電に必要な最小のデータパルス電圧Ｖｄｍｉｎと、誤放電が発生しないような、データパルス電圧Ｖｄの上限であるＶｄｍａｘが高く、動作時間がｔ１以下の場合、書き込み不良が発生するが、使用されて動作時間が長くなるに従って、これらの電圧は、ある一定値に落ち着いてゆき、設定電圧Ｖｄで駆動することができるようになる。
【０１０５】
このような、初期状態での書き込み不良を解消するため、この例においては、図１３に示すように、トータルの動作時間に応じて、壁電荷調整期間１０の電圧変動率を変化させるようにする。
すなわち、初期状態では、壁電荷調整期間１０において走査電極とデータ電極間の電位差が変化している時間をｔｐｅ１２のように長くすることによって電圧変化率を小さくし、動作時間が長くなるに従って、段階的に走査電極とデータ電極間の電位差が変化している時間を、ｔｐｅ１１，ｔｐｅ１０のように短くすることによって、電圧変化率を大きくしている。
このようにすることによって、図１２において実線で示すように、初期状態のデータパルス電圧Ｖｄｍｉｎを従来の場合よりも低下させるとともに、長時間動作後のデータパルス電圧Ｖｄｍａｘが従来の場合よりも低下しないようにすることができる。
【０１０６】
なお、図１２においては、動作時間が長くなるにつれて動作電圧が低下する特性のプラズマディスプレイパネルの場合について示したが、パネル構造や使用材料の違い等によっては、動作電圧が動作時間の経過とともに上昇するものや、ある動作時間が経過するまでは動作電圧が低下し、その後は上昇に転じるものもある等、異なった特性を示すことがある。
このような場合、動作電圧が動作時間とともに上昇する性質のパネルについては、図１２に示された特性とは逆に、動作時間が長くなるのに従って、走査電極に印加する電圧が変化する時間ｔｐｅを長くして、電圧変化率を小さくすればよい。また、動作電圧が動作時間とともに低下した後、上昇に転ずる性質のパネルについても、その動作電圧特性に合わせて、走査電極に印加する電圧が変化する時間ｔｐｅを変化させることによって、動作時間の経過に従って、常に正常に動作させるようにすることができる。
【０１０７】
このように、この例のプラズマ表示装置の駆動方法では、プラズマディスプレイパネルの動作時間に応じて、壁電荷調整期間１０において走査電極とデータ電極間の電位差が変化している時間を変化させるようにしたので、初期状態ではデータパルス電圧Ｖｄｍｉｎが従来の場合よりも低下しないとともに、長時間動作後のデータパルス電圧Ｖｄｍａｘが従来の場合よりも低下しないようにすることができる。
【実施例１２】
【０１０８】
図１４は、本発明の第１２実施例における、プラズマディスプレイパネルの壁電荷調整期間の電圧が変化する期間の時間と動作時間との関係を示す図である。
この例が適用されるプラズマディスプレイパネルは、図１７および図１８に示された従来のプラズマディスプレイパネルと同様である。なお、この例において、プラズマディスプレイパネルの動作時間の定義は、第１１実施例について説明したものと同様である。
【０１０９】
図１４においては、この例の場合の、動作時間に対する、走査電極とデータ電極間の電位差が変化している時間ｔｐｅの切り替え方法を例示している。
この例においては、図示のように、第１１実施例の場合と同様に、動作時間に対して、壁電荷調整期間１０における、走査電極とデータ電極間の電位差が変化している時間ｔｐｅの長さを切り替えるとともに、パネル温度によっても、時間ｔｐｅの長さを切り替えている。
【０１１０】
すなわち、温度に対しては、設定温度Ｔｔｈを境として、温度が高い場合には、温度が低い場合よりも前述の時間ｔｐｅを長くして、壁電荷調整期間１０の電圧変動率を小さくしている。
このようにすることによって、上述してきたような、高温時の書き込み不良を抑制することができる。
【０１１１】
このように、この例のプラズマ表示装置の駆動方法では、プラズマディスプレイパネルの動作時間とパネル温度との両方に応じて、壁電荷調整期間１０における、走査電極とデータ電極間の電圧変化率を切り替えるようにしたので、各動作時間において、パネル温度に対して安定に書き込み動作を行わせることが可能となる。
【実施例１３】
【０１１２】
図１５は、本発明の第１３実施例における、プラズマディスプレイパネルの駆動波形の初期化期間付近の詳細を示す図、図１６は、本実施例のプラズマディスプレイパネルにおける、正常に動作するための最小および最大のデータパルス電圧の維持パルス数依存性を示す図である。
この例が適用されるプラズマディスプレイパネルは、図１７および図１８に示された従来のプラズマディスプレイパネルと同様である。
【０１１３】
この例のプラズマディスプレイパネルの駆動方法においては、図１５に示すように、１フィールドの合計維持パルス数が、予め定められた設定維持パルス数より多いときと、設定維持パルス数より少ないときとで、壁電荷調整期間１０における、走査電極とデータ電極間の電圧変化率を異ならせている。
具体的には、維持パルス数が設定維持パルス数Ｘｔｈより少ない場合（図１５（ａ））は、走査電極とデータ電極間の電圧変化率を大きくし、維持パルス数が設定維持パルス数Ｘｔｈより多い場合（図１５（ｂ））は、走査電極とデータ電極間の電圧変化率を小さくしている。
【０１１４】
一般的に、１フィールドの合計維持パルス数は、第９実施例について説明したように、平均信号映像レベル（ＡＰＬ）に応じて変化させることが多い。同じ白表示でも、平均信号映像レベルが小さく、維持パルス数が多くなると、放電セル内の状態は活性化されて、壁電圧調整期間１０における放電量が大きくなって、走査電極とデータ電極間の壁電荷量がより多く減少し、図１６に一点鎖線で示されるように、書き込み放電の発生に必要な最小のデータパルス電圧Ｖｄｍｉｎが上昇する。
一方、同様の理由によって、走査電極とデータ電極間で書き込み放電が発生しないデータパルス電圧の上限値Ｖｄｍａｘも、図１６に一点鎖線で示されるように上昇する。
【０１１５】
これに対して、この例の場合は、１フィールドの設定維持パルス数Ｘｔｈを境として、走査電極とデータ電極間の電圧の変化率を切り替えている。
このようにすることによって、維持パルス数が多い場合には、従来よりも走査電極とデータ電極間の壁電荷量を多くすることができる。その結果、１フィールドの維持パルス数が設定値Ｘｔｈより多いときは、書き込み放電の発生に必要な最小のデータパルス電圧Ｖｄｍｉｎと、書き込み放電が発生しないデータパルス電圧の上限値Ｖｄｍａｘとを引き下げることができ、維持パルス数変動範囲内において、設定されたデータパルス電圧Ｖｄでプラズマディスプレイパネルを駆動することができるようになる。
【０１１６】
このように、この例のプラズマ表示装置の駆動方法では、維持パルス数の設定値Ｘｔｈを境として、走査電極とデータ電極間の電圧の変化率を切り替えて、１フィールドの維持パルス数が設定値Ｘｔｈより多いときは、走査電極とデータ電極間の電圧の変化率を小さくして走査電極とデータ電極間の壁電荷量を多くすることによって、書き込み放電の発生に必要な最小のデータパルス電圧Ｖｄｍｉｎと、書き込み放電が発生しないデータパルス電圧の上限値Ｖｄｍａｘとを引き下げて、維持パルス数変動範囲内において設定されたデータパルス電圧で駆動可能なようにすることができる。
【０１１７】
以上、この発明の実施例を図面により詳述してきたが、具体的な構成はこの実施例に限られたものではなく、この発明の要旨を逸脱しない範囲の設計の変更等があってもこの発明に含まれる。例えば、上述の各実施例においては、すべて、初期化期間２には、維持消去期間８とプライミング期間９が存在するものとして説明したが、これに限るものでなく、維持消去期間８とプライミング期間９を省略して、壁電荷調整期間１０のみによって初期化する形態としてもよい。
【図面の簡単な説明】
【０１１８】
【図１】本発明の第１実施例における、プラズマディスプレイパネルの駆動波形の初期化期間付近の詳細を示す図である。
【図２】図２において（ａ）〜（ｄ）は、それぞれ本発明の第１実施例，第３実施例ないし第５実施例における、プラズマディスプレイパネルの壁電荷調整期間における、電圧が変化する期間の時間と温度との関係を示す図である。
【図３】本発明の第１実施例のプラズマディスプレイパネルにおける、正常に動作するための最小および最大のデータパルス電圧の温度依存性を示す図である。
【図４】図４において（ａ），（ｂ）はそれぞれ本発明の第１実施例，第２実施例における、プラズマディスプレイパネルにおける１フィールドの構成を示す図である。
【図５】本発明の第２実施例における、プラズマディスプレイパネルの駆動波形の初期化期間付近の詳細を示す図である。
【図６】本発明の第３実施例における、プラズマディスプレイパネルが正常に動作するための最小および最大のデータパルス電圧の温度依存性を示す図である。
【図７】本発明の第４実施例における、プラズマディスプレイパネルが正常に動作するための最小および最大のデータパルス電圧の温度依存性を示す図である。
【図８】本発明の第５実施例における、プラズマディスプレイパネルが正常に動作するための最小および最大のデータパルス電圧の温度依存性を示す図である。
【図９】図９において（ａ）〜（ｃ）は、それぞれ本発明の第６実施例ないし第８実施例における、プラズマディスプレイパネルの各サブフィールドの壁電荷調整期間の電圧が変化する期間の時間を示す図である。
【図１０】本発明の第９実施例における、プラズマディスプレイパネルの電圧変化率が小さいサブフィールド数の画面平均階調数依存性を示す図である。
【図１１】本発明の第１０実施例における、プラズマディスプレイパネルの電圧変化率が小さいサブフィールド数の画面平均階調数依存性を示す図である。
【図１２】本発明の第１１実施例における、プラズマディスプレイパネルが正常に動作するための最小および最大のデータパルス電圧の動作時間依存性を示す図である。
【図１３】同実施例における、プラズマディスプレイパネルの壁電荷調整期間の電圧が変化する期間の時間と動作時間との関係を示す図である。
【図１４】本発明の第１２実施例における、プラズマディスプレイパネルの壁電荷調整期間の電圧が変化する期間の時間と動作時間との関係を示す図である。
【図１５】本発明の第１３実施例における、プラズマディスプレイパネルの駆動波形の初期化期間付近の詳細を示す図である。
【図１６】本実施例のプラズマディスプレイパネルにおける、正常に動作するための最小および最大のデータパルス電圧の維持パルス数依存性を示す図である。
【図１７】従来の３電極ＡＣ型プラズマディスプレイパネルにおける１セルの構造を示す断面図である。
【図１８】従来の３電極ＡＣ型プラズマデータパネルの構造を示す平面図である。
【図１９】従来の３電極ＡＣ型プラズマディスプレイパネルに対する駆動波形を示す図である。
【符号の説明】
【０１１９】
１    前サブフィールドの維持期間
２    初期化期間
３    走査期間
４    維持期間
５    １サブフィールド
６    走査パルス
７    データパルス
８    維持消去期間
９    プライミング期間
１０    壁電荷調整期間
２０    上部絶縁基板
２１    下部絶縁基板
２２    走査電極
２３    維持電極
２４    透明誘電体層
２５    保護層
２６    放電空間セル
２７    蛍光体層
２８    白色誘電体層
２９    データ電極
３０    ディスプレイ表示画面
３１    セル
３２    金属トレース電極
３３    隔壁
３４    放電ギャップ
３５    非放電ギャップ
【図１】
2005077744.tif 000003
【図２】
2005077744.tif 000004
【図３】
2005077744.tif 000005
【図４】
2005077744.tif 000006
【図５】
2005077744.tif 000007
【図６】
2005077744.tif 000008
【図７】
2005077744.tif 000009
【図８】
2005077744.tif 000010
【図９】
2005077744.tif 000011
【図１０】
2005077744.tif 000012
【図１１】
2005077744.tif 000013
【図１２】
2005077744.tif 000014
【図１３】
2005077744.tif 000015
【図１４】
2005077744.tif 000016
【図１５】
2005077744.tif 000017
【図１６】
2005077744.tif 000018
【図１７】
2005077744.tif 000019
【図１８】
2005077744.tif 000020
【図１９】
2005077744.tif 000021